(57)【要約】【課題】本発明は、電話発信時に相手が電話に出なかった場合に、その相手に対して短時間でメールを作成して送信することができる携帯端末を提供する。【解決手段】電話番号及びメールアドレスをそれぞれ関連付けて記憶する記憶手段と、電話発信時に相手が応答しなかった場合に、この相手の電話番号に基づいて、記憶手段からこの相手のメールアドレスを取得する取得手段（Ｓ１１１）と、取得されたメールアドレスに対してメールを送信するための画面を表示する表示手段（Ｓ１１５）と、表示された画面に基づいて作成されたメールを送信する送信手段（Ｓ１１９）と、を備えた。【選択図】  図３
2011077909.tif 000002
【特許請求の範囲】
【請求項１】
電話番号及びメールアドレスをそれぞれ関連付けて記憶する記憶手段と、
電話発信時に相手が応答しなかった場合に、この相手の電話番号に基づいて、前記記憶手段からこの相手のメールアドレスを取得する取得手段と、
前記取得手段により取得されたメールアドレスに対するメールを作成するための画面を表示する表示手段と、
前記表示手段により表示された画面に基づいて作成されたメールを送信する送信手段と、
を備えたことを特徴とする携帯端末。
【請求項２】
電話番号及びメールアドレスをそれぞれ関連付けて記憶する記憶手段と、
電話発信時に相手が応答しなかった場合に、この相手に対するメール送信の指示を受け付ける受付手段と、
前記受付手段により指示が受け付けられた場合、この相手の電話番号に基づいて、前記記憶手段からこの相手のメールアドレスを取得する取得手段と、
前記取得手段により取得されたメールアドレスに対してメールを送信するための画面を表示する表示手段と、
前記表示手段により表示された画面に基づいて作成されたメールを送信する送信手段と、
を備えたことを特徴とする携帯端末。
【請求項３】
電話発信時に相手が応答しなかった場合に、この相手の電話番号に関連付けられたメールアドレスを取得する取得ステップと、
前記取得ステップにて取得されたメールアドレスに対してメールを送信するための画面を表示する表示ステップと、
前記表示ステップにて表示された画面に基づいて作成されたメールを送信する送信ステップと、
を有することを特徴とする携帯端末のメール送信支援方法。
【請求項４】
電話発信時に相手が応答しなかった場合に、この相手に対するメール送信の指示を受け付ける受付ステップと、
前記受付ステップにて指示が受け付けられた場合、この相手の電話番号に関連付けられたメールアドレスを取得する取得ステップと、
前記取得ステップにて取得されたメールアドレスに対してメールを送信するための画面を表示する表示ステップと、
前記表示ステップにて表示された画面に基づいて作成されたメールを送信する送信ステップと、
を有することを特徴とする携帯端末のメール送信支援方法。
【発明の詳細な説明】
【技術分野】
【０００１】
本発明は、電話発信時に相手が応答しなかった場合に、この相手が送信先に設定されたメール送信画面を表示してユーザにメール送信を促す携帯端末及び携帯端末のメール送信支援方法に関する。
【背景技術】
【０００２】
携帯電話機等の携帯端末の普及に伴い、ユーザは携帯端末を常時携帯するようになり、複数のユーザ間で頻繁に連絡を取り合うことができるようになってきた。また、携帯端末の高性能化に伴い、携帯端末を用いた通信方式が多様化してきた。例えばユーザは、同一の相手に対して、携帯端末を用いて音声通話を行うのみでなく、メールの送受信も頻繁に行うようになってきた。
【０００３】
例えば、無人で迅速確実な双方向の情報伝達機構を音声により構築することができる音声通報応答装置が提案されている（特許文献１参照）。この音声通報応答装置は、各担当者が持つ電話に対するテレホンサービス、ポケットベルに対するポケベル呼出しあるいはファクシミリに対するＦＡＸ配信をし、発令された気象情報の内容を文字に置き換え、呼び出しを開始する装置であり、第１の方法として、情報源の本部は、伝達すべき情報を予め設定された担当責任者に自動で電話をかけ、この音声通報応答装置を起動して担当者呼び出しをしてよいかどうかの判断を求めてからこのシステムを起動させる例が提案指されていて、第２の方法として、担当責任者は、約束のＩＤと決められた指示をダイヤルで操作することにより、または呼び出し後、前もって決められた時間内に担当責任者からの指示がなければこのシステムを起動させる例が提案されている。
【先行技術文献】
【特許文献】
【０００４】
【特許文献１】特開平０９−１８６７９７号公報
【発明の概要】
【発明が解決しようとする課題】
【０００５】
メール作成機能、電話機能を有する携帯端末を用いてユーザが電話発信を行った際に、その相手が応答しなかった場合に、ユーザがその相手に電話で伝えたかった内容をメール機能を用いて送信したい状況が想定される。
【０００６】
ユーザが携帯端末を用いてメールを作成する際、アドレス帳を利用してその通話相手へのメールを作成することは可能ではあるが、その場合には、アドレス帳の表示操作、通話相手の選択操作、メール画面の起動操作など、ユーザ操作が複数発生してしまい、メールの作成・送信に時間や手間がかかってしまうという問題があった。
【０００７】
本発明は、上記課題を鑑みてなされてものであり、電話発信時に相手が電話に出なかった場合に、その相手に対して短時間でメールを作成して送信することができる携帯端末及び携帯端末のメール送信支援方法を提供することを目的とする。
【課題を解決するための手段】
【０００８】
上記課題を解決するために、本発明に係る携帯端末は、電話番号及びメールアドレスをそれぞれ関連付けて記憶する記憶手段と、電話発信時に相手が応答しなかった場合に、この相手の電話番号に基づいて、前記記憶手段からこの相手のメールアドレスを取得する取得手段と、前記取得手段により取得されたメールアドレスに対してメールを送信するための画面を表示する表示手段と、前記表示手段により表示された画面に基づいて作成されたメールを送信する送信手段と、を備えたことを特徴とする。
【０００９】
また、本発明に係る携帯端末のメール送信支援方法は、電話発信時に相手が応答しなかった場合に、この相手の電話番号に関連付けられたメールアドレスを取得する取得ステップと、前記取得ステップにて取得されたメールアドレスに対してメールを送信するための画面を表示する表示ステップと、前記表示ステップにて表示された画面に基づいて作成されたメールを送信する送信ステップと、を有することを特徴とする。
【発明の効果】
【００１０】
本発明に係る携帯端末及び携帯端末のメール送信支援方法によると、電話発信時に相手が電話に出なかった場合に、その相手に対して短時間でメールを作成して送信することが可能となる。
【図面の簡単な説明】
【００１１】
【図１】（Ａ）は、本発明に係る携帯端末の閉じた状態を示す斜視図、（Ｂ）は、本発明に係る携帯端末の開いた状態を示す斜視図。
【図２】本発明に係る携帯端末の機能を示すブロック図。
【図３】本発明に係る携帯端末が電話発信時に相手からの応答がない場合に、不応答時メール送信支援処理を行う際の手順を示すフローチャート。
【図４】（Ａ）乃至（Ｃ）は、本発明に係る携帯端末が不応答時メール送信支援処理を行う際の画面遷移図。
【図５】本発明に係る携帯端末が電話発信時に相手からの応答がない場合に、不応答時メール送信支援処理を行う際の手順を示すフローチャート。
【図６】（Ａ）乃至（Ｄ）は、本発明に係る携帯端末が不応答時メール送信支援処理を行う際の画面遷移図。
【発明を実施するための形態】
【００１２】
本発明に係る携帯端末の実施形態について、添付図面を参照しながら説明する。本発明に係る携帯端末として、複数の筐体が開閉自在に結合されてなるスライド型の携帯電話機１を例にあげて説明する。図１（Ａ）は、携帯電話機１の閉じた状態を示す斜視図、図１（Ｂ）は、携帯電話機１の開いた状態を示す斜視図である。
【００１３】
携帯電話機１は、図１（Ａ）及び図１（Ｂ）に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０と下筐体１１は、図１のＸ方向に所定長さだけ相互にスライド自在なように結合されている。携帯電話機１は、上筐体１０と下筐体１１とを相互にスライドさせて位置関係を変更することにより、閉じた状態から開いた状態に、あるいは開いた状態から閉じた状態に変形する。
【００１４】
上筐体１０の外面（下筐体１１に対面しない側の面）には、データを表示するためのディスプレイ１２、音声を出力するためのレシーバ１３、データを入力するための複数の操作キー１４が設けられている。操作キー１４は、例えば電源のＯＮ／ＯＦＦを切り替えるための電源キーや発呼処理を行うための発呼キー、終話処理を行うための終話キー、メール機能を起動するためのメールキー、カーソルを上下左右に移動させるための十字キーなどである。
【００１５】
下筐体１１の内面（上筐体１０に対面する側の面）には、データを入力するための複数の操作キー１４、音声を入力するためのマイクロフォン１５が設けられている。操作キー１４は、例えば数字や文字を入力するためのテンキーなどである。また下筐体１１には、音声を集音するためのマイクロフォン１６が設けられている。
【００１６】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する不応答時メール送信支援処理、その他の様々な演算処理や制御処理等を行う。電源回路部２１は、電源供給源（バッテリ等）を備え、所定の操作キー１４（例えば電源キー）を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１８】
操作入力制御部２２は操作キー１４に対する入力インタフェースを備え、操作キー１４のいずれかが押されたことを検知すると、押された操作キー１４を示す信号を生成して主制御部２０に伝送する。信号を受信した主制御部２０は、この信号に基づいて様々な処理を行う。表示制御部２３はディスプレイ１２に対する表示インタフェースを備え、主制御部２０の制御に基づいて、文書データや画像データ等をディスプレイ１２に表示する。
【００１９】
音声制御部２４は、主制御部２０の制御に基づいて、マイクロフォン１５で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００２０】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてディスプレイ１２に表示されたり、または記憶部２６に記録されたりする。また通信制御部２５は、主制御部２０の制御に基づいて、マイクロフォン１５で集音された音声データや操作キー１４を介して入力されたデータや記憶部２６に記憶されたデータを取得すると、これらのデータに対してスペクトラム拡散処理を行い、基地局に対してアンテナ２５ａを介して送信する。
【００２１】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する不応答時メール送信支援処理を行う際の処理プログラムは、例えばＲＯＭに記憶されているものとする。
【００２２】
また、記憶部２６は、複数の通信相手の電話番号やメール送信先（メールアドレス）を示すアドレス帳情報、電話発信を行った履歴を示す発信履歴情報、電話着信を行った履歴を示す着信履歴情報、送受信されたメール情報を示すメール履歴情報を記憶している。アドレス帳情報は、通信相手毎に、名前や電話番号やメールアドレス等の情報がそれぞれ関連付けられた情報である。発信履歴情報は、各々の電話発信に対して、発信日時、発信先の電話番号、発信先の名前等の情報がそれぞれ関連付けられた情報である。着信履歴情報は、電話着信毎に、着信日時、発信元の電話番号、発信元の名前等の情報がそれぞれ関連付けられた情報である。メール履歴情報は、送受信メール毎に、メールＩＤ、メール送信日時（メール受信日時）、送信先（送信元）、件名、本文、添付ファイル等の情報がそれぞれ関連付けられた情報である。
【００２３】
携帯電話機１は、電話発信時に相手が応答しなかった場合、自動的にメール機能を起動することで、ユーザのメール送信を支援する機能を備えている。携帯電話機１がこの不応答後メール送信支援処理を行う際の手順について、図３に示すフローチャート、図４に示す画面遷移図に基づいて説明する。
【００２４】
まず主制御部２０は、ユーザ操作に基づいて所定の通信相手に対して電話発信を開始する（Ｓ１０１）。図４（Ａ）は、電話発信時のディスプレイ１２の表示画面３０の一例を示す画面図である。図４（Ａ）に示すように、電話発信時のディスプレイ１２の表示画面３０には、例えば電話発信中である旨が表示された表示欄３１が表示される。
【００２５】
そして主制御部２０は、ステップＳ１０１の電話発信に対して着信側から応答があったか否かを判断する（Ｓ１０３）。応答があった場合（Ｓ１０３のＹｅｓ）は、主制御部２０はこの通信相手との通話処理を開始する（Ｓ１０５）。また主制御部２０は、ユーザ操作に基づいてこの通話相手との通話処理を終了する（Ｓ１０７）。そして主制御部２０はそのまま不応答時メール送信支援処理を終了する。図４（Ｂ）は、終話時のディスプレイ１２の表示画面３０の一例を示す画面図である。図４（Ｂ）に示すように、終話時のディスプレイ１２の表示画面３０には、通話相手や通話時間等が表示された表示欄３２が表示される。
【００２６】
応答がなかった場合（Ｓ１０３のＮｏ）は、主制御部２０は電話発信を終了させる（Ｓ１０９）。この際、主制御部２０は、電話発信の開始からの所定時間の経過により、または携帯電話網により接続が切断された場合、あるいはユーザ操作により、電話発信を終了させる。
【００２７】
主制御部２０は、電話発信を終了させた後、この通信相手のメールアドレスがアドレス帳に登録されているか否かを判断する（Ｓ１１１）。この際、主制御部２０は、ステップＳ１０１にて電話発信を開始した通話相手の電話番号に対応付けられたメールアドレスがアドレス帳にあった場合に、登録されているものと判断する。アドレス帳にメールアドレスが登録されていなかった場合（Ｓ１１１のＮｏ）は、主制御部２０は、この通信相手に対してメールを送信できないため、そのまま不応答時メール送信支援処理を終了する。
【００２８】
メールアドレスがアドレス帳に登録されていた場合（Ｓ１１１のＹｅｓ）は、主制御部２０はメール機能を起動させる（Ｓ１１３）。そして主制御部２０は、ステップＳ１１３にて起動されたメール機能において、ユーザに対してタイトルや本文等の入力を促す（Ｓ１１５）。図４（Ｃ）は、メール機能起動時のディスプレイ１２の表示画面３０の一例を示す図である。図４（Ｃ）に示すように、メール機能起動時の表示画面３０には、アドレス帳に登録されているメールアドレスが予め入力されているアドレス入力欄３３ａ、ユーザによりタイトルが入力されるタイトル入力欄３３ｂ、ユーザにより本文が入力される本文入力欄３３ｃ、及びユーザがメール送信の指示を入力する送信ボタン３４を備えた入力欄３３が表示される。
【００２９】
ユーザは、入力欄３３においてタイトル、本文を入力した後に、送信ボタン３４を選択することにより、携帯電話機１にメール送信を指示する。主制御部２０は、ユーザによりメール送信が指示されたか否かを判断する（Ｓ１１７）。この際、主制御部２０は、送信ボタン３４が選択されたことに基づいて、メール送信が指示されたものと判断する。
【００３０】
メール送信が指示されていない場合（Ｓ１１７のＮｏ）、主制御部２０はそのまま待機する。メール送信が指示された場合（Ｓ１１７のＹｅｓ）は、主制御部２０は、ステップステップＳ１１５の表示欄３３において入力されている内容に基づいてメールを送信して（Ｓ１１９）、不応答時メール送信支援処理を終了する。
【００３１】
このようにして携帯電話機１は、電話発信時に相手が応答しなかった場合に、その相手のメールアドレスが予め設定されたメール作成画面をディスプレイ１２に表示させる。ユーザは、このメール作成画面に従ってメール作成することにより、電話発信に応答しなかった相手に対して簡単に短時間でメールを送信することができる。また、電話発信相手のメールアドレスが予め設定されたメール作成画面が表示されることにより、ユーザによるメールアドレスの誤入力が防止される。
【００３２】
また、携帯電話機１は、電話発信時に相手が応答しなかった際に、ユーザにメール送信の是非を問い合わせ、ユーザにメール送信が指示された場合に、自動的にメール機能を起動することで、ユーザのメール送信を支援するようにしても良い。携帯電話機１がこの不応答後メール送信支援処理を行う際の手順について、図５に示すフローチャート、図６に示す画面遷移図に基づいて説明する。
【００３３】
まず主制御部２０は、ステップＳ１０１と同様に、ユーザ操作に基づいて所定の通信相手に対して電話発信を開始する（Ｓ２０１）。図６（Ａ）は、電話発信時のディスプレイ１２の表示画面３０の一例を示す画面図である。図６（Ａ）に示すように、電話発信時のディスプレイ１２の表示画面３０には、例えば電話発信中である旨が表示された表示欄３１が表示される。
【００３４】
そして主制御部２０は、ステップＳ２０１の電話発信に対して着信側から応答があったか否かを判断する（Ｓ２０３）。応答があった場合（Ｓ２０３のＹｅｓ）は、主制御部２０はこの通信相手との通話処理を開始する（Ｓ２０５）。また主制御部２０は、ユーザ操作に基づいてこの通話相手との通話処理を終了する（Ｓ２０７）。そして主制御部２０はそのまま不応答時メール送信支援処理を終了する。図６（Ｂ）は、終話時のディスプレイ１２の表示画面３０の一例を示す画面図である。図６（Ｂ）に示すように、終話時のディスプレイ１２の表示画面３０には、通話相手や通話時間等が表示された表示欄３２が表示される。
【００３５】
応答がなかった場合（Ｓ２０３のＮｏ）は、主制御部２０は電話発信を終了させる（Ｓ２０９）。この際、主制御部２０は、電話発信の開始からの所定時間の経過により、または携帯電話網により接続が切断された場合、あるいはユーザ操作により、電話発信を終了させる。
【００３６】
主制御部２０は、電話発信を終了させた後、この通信相手のメールアドレスがアドレス帳に登録されているか否かを判断する（Ｓ２１１）。この際、主制御部２０は、ステップＳ２０１にて電話発信を開始した通話相手の電話番号に対応付けられたメールアドレスがアドレス帳にあった場合に、登録されているものと判断する。アドレス帳にメールアドレスが登録されていなかった場合（Ｓ２１１のＮｏ）は、主制御部２０は、この通信相手に対してメールを送信できないため、そのまま不応答時メール送信支援処理を終了する。
【００３７】
メールアドレスがアドレス帳に登録されていた場合（Ｓ２１１のＹｅｓ）は、主制御部２０は、ディスプレイ１２に選択画面３５を表示させる（Ｓ２１３）。図６（Ｃ）は、選択画面表示時のディスプレイ１２の表示画面３０の一例を示す図である。図６（Ｃ）に示すように、選択画面表示時のディスプレイ１２の表示画面３０には、「メール送信する」または「メール送信しない」を入力するための入力欄３５が表示される。ユーザは、入力欄３５において、「メール送信する」または「メール送信しない」のいずれか一方を選択する。
【００３８】
主制御部２０は、「メール送信する」が選択された否かを判断する（Ｓ２１５）。「メール送信しない」が選択された場合（Ｓ２１５のＮｏ）は、主制御部２０は、そのまま不応答時メール送信支援処理を終了する。「メール送信する」が選択された場合（Ｓ２１５のＹｅｓ）は、主制御部２０はメール機能を起動させる（Ｓ２１７）。そして主制御部２０は、ステップＳ２１７にて起動されたメール機能において、ユーザに対してタイトルや本文等の入力を促す（Ｓ２１９）。図６（Ｄ）は、メール機能起動時のディスプレイ１２の表示画面３０の一例を示す図である。図６（Ｄ）に示すように、メール機能起動時の表示画面３０には、アドレス帳に登録されているメールアドレスが予め入力されているアドレス入力欄３３ａ、ユーザによりタイトルが入力されるタイトル入力欄３３ｂ、ユーザにより本文が入力される本文入力欄３３ｃ、及びユーザがメール送信の指示を入力する送信ボタン３４を備えた入力欄３３が表示される。
【００３９】
ユーザは、入力欄３３においてタイトル、本文を入力した後に、送信ボタン３４を選択することにより、携帯電話機１にメール送信を指示する。主制御部２０は、ユーザによりメール送信が指示されたか否かを判断する（Ｓ２２１）。この際、主制御部２０は、送信ボタン３４が選択されたことに基づいて、メール送信が指示されたものと判断する。
【００４０】
メール送信が指示されていない場合（Ｓ２２１のＮｏ）は主制御部２０はそのまま待機する。メール送信が指示された場合（Ｓ２２１のＹｅｓ）は、主制御部２０は、ステップステップＳ２１９の表示欄３３において入力されている内容に基づいてメールを送信して（Ｓ２２３）、不応答時メール送信支援処理を終了する。
【００４１】
このようにして携帯電話機１は、電話発信時に相手が応答しなかった際に、ユーザにメール送信を行うか否かの選択を促し、メール送信を行う場合に、その相手のメールアドレスが予めて設定されたメール作成画面をディスプレイ１２に表示させる。ユーザは、電話発信した相手に対してメール送信を行いたい場合には、このメール作成画面に従ってメール作成することにより、電話発信に応答しなかった相手に対して簡単に短時間でメールを送信することができる。また、電話発信相手のメールアドレスが予め設定されたメール作成画面が表示されることにより、ユーザによるメールアドレスの誤入力が防止される。
【００４２】
本発明に係る携帯端末（携帯電話機１）によると、電話発信時に相手が電話に出なかった場合に、その相手のメールアドレスが設定されたメール作成画面をディスプレイ１２に表示させてユーザのメール作成を支援することにより、その相手に対して短時間でメールを作成して送信することが可能となる。
【００４３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＭＩＤ（Ｍｏｂｉｌｅ  Ｉｎｔｅｒｎｅｔ  Ｄｅｖｉｃｅ）、携帯音楽プレイヤー、携帯ビデオカメラ、携帯ゲーム機等、音声通話機能及びメール送受信機能を備えている通信端末であれば、任意の通信端末であっても良い。
【符号の説明】
【００４４】
１…携帯電話機，１０…上筐体，１１…下筐体，１２…ディスプレイ，１３…スピーカ，１４…操作キー，１５…マイクロフォン，２０…主制御部，２１…電源回路部，２２…操作入力制御部，２３…表示制御部，２４…音声制御部，２５…通信制御部，２５ａ…アンテナ，２６…記憶部，３０…表示画面，３１、３２…表示欄，３３、３５…入力欄，３４…メール送信ボタン。
【図１】
2011077909.tif 000003
【図２】
2011077909.tif 000004
【図３】
2011077909.tif 000005
【図４】
2011077909.tif 000006
【図５】
2011077909.tif 000007
【図６】
2011077909.tif 000008